(57)【要約】【課題】撮影された各撮影画像を個々に識別可能に記録する。【解決手段】デジタルカメラ３では、撮影が指示されると、光学系３１、ＣＣＤ３２により撮影画像のデータが生成され、データがバッファメモリ３４に一時記憶される。カードＩ／Ｆ４１に接続されたメモリカードＭからメディア識別番号が読み出される。また、ＲＯＭ３７からデジタルカメラ３のカメラ識別番号が読み出される。次いで、バッファメモリ３４から撮影画像のデータが読み出され、原画像として圧縮・伸張部４０、カードＩ／Ｆ４１を介してメモリカードＭに記録される。また、撮影画像に対してファイル番号が生成され、メモリカードＭ上に書き込まれた原画像のヘッダ領域に原画像の撮影日時及びファイル番号が書き込まれるとともに、読み出されたメモリカードＭ、デジタルカメラ３の各識別番号が書き込まれる。【選択図】図３
2006115062.tif 000002
【特許請求の範囲】
【請求項１】
被写体を撮影し、その撮影画像のデータを生成する撮影手段と、
撮影装置に設定された固有の識別情報を入力する入力手段と、
前記生成された撮影画像に前記入力された撮影装置の識別情報を付加してそれらのデータを画像記録用メディアに撮影画像のデータを記録する記録手段と、
を備えることを特徴とする撮影装置。
【請求項２】
前記入力手段は、画像記録メディアに設定された固有の識別情報を入力し、
前記記録手段は、前記撮影画像に前記入力された画像記録メディアの識別情報を付加して画像記録用メディアに記録することを特徴とする請求項１に記載の撮影装置。
【請求項３】
前記入力手段は、撮影対象となったイベントに設定された固有の識別情報を入力し、
前記記録手段は、前記撮影画像に前記入力されたイベントの識別情報を付加して画像記録用メディアに記録することを特徴とする請求項１又は２に記載の撮影装置。
【請求項４】
前記識別情報が付加された撮影画像を画像受信装置に送信する通信手段を備えることを特徴とする請求項１〜３の何れか一項に記載の撮影装置。
【請求項５】
前記生成された撮影画像のデータに基づいてその縮小画像を生成する縮小画像生成手段を備え、
前記記録手段は、前記生成された縮小画像に前記撮影画像に付加された識別情報を付加し、
前記通信手段は、前記識別情報が付加された縮小画像を画像受信装置に送信することを特徴とする請求項４に記載の撮影装置。
【発明の詳細な説明】
【技術分野】
【０００１】
本発明は、被写体を撮影し、その撮影画像のデータを生成して画像記録メディアに記録する撮影装置に関する。
【背景技術】
【０００２】
遊園地等の行楽地やマラソン大会等のイベントでは、顧客や選手を撮影してそのプリント写真を即時販売することが行われている。このようなプリントサービスを行う場合、備え付けのデジタルカメラで撮影を行い、その撮影画像をデジタルカメラからサーバに送信してサーバにおいてプリント注文を受け付けるプリント注文システムが利用されている。プリント受注システムでは、撮影後すぐに写真をプリント出力することができるようにすることが顧客へのサービス向上につながる。
【０００３】
デジタルカメラにより撮影された画像（原画像）は高画質であり、データ量が多く、デジタルカメラからプリント受注用のサーバへの画像の転送時間が長くなるため、この転送時間を短縮するために、従来から原画像からサムネイル画像のような縮小画像を生成して受注用のサーバに送信するシステムが開示されている（例えば、特許文献１参照）。
【特許文献１】特開２００２−２３７９８１号公報
【発明の開示】
【発明が解決しようとする課題】
【０００４】
しかしながら、マラソン大会等の参加者が多いイベントの写真撮影には、複数のカメラマンが各地点に配置され、複数のカメラを用いて撮影を行うことが多い。通常、デジタルカメラでは撮影画像に対して単なる数字の連番でファイル名が付けられるため、複数のカメラで撮影された画像が一度にサーバへ転送されると、各カメラで撮影された画像間でファイル名が重複することとなり、各画像を特定することができなくなる。また、ファイル名が同じであるため、先に受信された画像に後で受信された画像が上書きされる等のトラブルが発生することも考えられる。
【０００５】
本発明の課題は、撮影された各撮影画像を個々に識別可能に記録するデジタルカメラを提供することである。
【課題を解決するための手段】
【０００６】
請求項１に記載の発明は、撮影装置において、
被写体を撮影し、その撮影画像のデータを生成する撮影手段と、
撮影装置に設定された固有の識別情報を入力する入力手段と、
前記生成された撮影画像に前記入力された撮影装置の識別情報を付加してそれらのデータを画像記録用メディアに撮影画像のデータを記録する記録手段と、
を備えることを特徴とする。
【０００７】
請求項２に記載の発明は、請求項１に記載の撮影装置において、
前記入力手段は、画像記録メディアに設定された固有の識別情報を入力し、
前記記録手段は、前記撮影画像に前記入力された画像記録メディアの識別情報を付加して画像記録用メディアに記録することを特徴とする。
【０００８】
請求項３に記載の発明は、請求項１又は２に記載の撮影装置において、
前記入力手段は、撮影対象となったイベントに設定された固有の識別情報を入力し、
前記記録手段は、前記撮影画像に前記入力されたイベントの識別情報を付加して画像記録用メディアに記録することを特徴とする。
【０００９】
請求項４に記載の発明は、請求項１〜３の何れか一項に記載の撮影装置において、
前記識別情報が付加された撮影画像を画像受信装置に送信する通信手段を備えることを特徴とする。
【００１０】
請求項５に記載の発明は、請求項４に記載の撮影装置において、
前記生成された撮影画像のデータに基づいてその縮小画像を生成する縮小画像生成手段を備え、
前記記録手段は、前記生成された縮小画像に前記撮影画像に付加された識別情報を付加し、
前記通信手段は、前記識別情報が付加された縮小画像を画像受信装置に送信することを特徴とする。
【発明の効果】
【００１１】
請求項１に記載の発明によれば、撮影画像に撮影装置に固有の識別情報を付加して記録するので、一連の撮影に複数の撮影装置が使用された場合でも、撮影装置に固有の識別情報により各撮影画像を容易に識別することができ、撮影画像の混同を防止することができる。
【００１２】
請求項２に記載の発明によれば、撮影画像に画像記録メディアに固有の識別情報を付加して記録するので、一の撮影装置において複数の画像記録メディアが使用された場合でも、メディアに固有の識別情報により各撮影画像を容易に識別することができ、撮影画像の混同を防止することができる。
【００１３】
請求項３に記載の発明によれば、撮影画像にイベントに固有の識別情報を付加するので、複数のイベントに亘って撮影を行った場合でも、イベントに固有の識別情報により各撮影画像を容易に識別することができ、撮影画像の混同を防止することができる。
【００１４】
請求項４に記載の発明によれば、識別情報により画像受信装置側で受信された撮影画像を容易に識別することができる。撮影装置の識別情報であれば、撮影に使用された撮影装置を判別することができ、画像記録メディアの識別情報であれば、撮影に使用された画像記録メディアを判別することができる。同様にイベントの識別情報であれば、撮影対象となったイベントを判別することができる。
【００１５】
請求項５に記載の発明によれば、識別情報を付加した縮小画像を画像受信装置に送信するので、撮影画像をそのまま送信するよりも送信時間を短縮化することができる。また、識別情報により縮小画像の識別も可能である。
【発明を実施するための最良の形態】
【００１６】
本実施形態では、撮影装置としてデジタルカメラを適用し、撮影前にデジタルカメラにおいて、デジタルカメラに固有の識別番号（以下、カメラ識別番号という）を設定しておくとともに、撮影に使用する画像記録メディア（以下、メモリカードを適用した例で説明する）に対しても固有の識別番号（以下、メディア識別番号という）を設定しておき、撮影画像をメモリカードに記録する際にカメラ識別番号及びメディア識別番号を付加して記録する例を説明する。
【００１７】
まず、構成を説明する。
図１に、本実施形態におけるデジタルカメラを含んで構成される撮影システム１のシステム構成を示す。
図１に示すように、撮影システム１は、受注サーバ２、複数のデジタルカメラ３から構成されている。受注サーバ２及びデジタルカメラ３は、ともに通信機能を有しており、相互にデータの送受信が可能に構成されている。
【００１８】
撮影システム１は、マラソン大会のイベントにてマラソンコースを走る参加者をマラソンコース上の各地点でデジタルカメラ３により撮影し、その撮影画像を受注サーバ２において収集し、プリント注文を受注するものである。
【００１９】
以下、各構成装置について説明する。
受注サーバ２は、各デジタルカメラ３により撮影が行われると当該撮影画像のサムネイル画像をデジタルカメラ３から無線通信により受信する画像受信装置であり、受信されたサムネイル画像を用いてプリント受注用のホームページ（以下、受注ページという）を作成する。受注サーバ２は、作成した受注ページをインターネット上で公開して、顧客の端末からプリント注文の要求情報を受け付けて受注処理を行う。後に、撮影画像をデジタルカメラ３から無線通信により受信する、或いは記録メディアに記録された撮影画像を読み出して撮影画像を取得し、当該撮影画像のプリント発注処理を行う。受注サーバ２は、図１に示すように移動可能な車両等に設置されることとしてもよいし、マラソン大会本部等に固定的に設置されることとしてもよい。
【００２０】
図２に、受注サーバ２の内部構成を示す。
図２に示すように、受注サーバ２は、制御部２１、操作部２２、表示部２３、通信部２４、ＲＡＭ（Random Access Memory）２５、ＲＯＭ（Read Only Memory）２６、画像メモリ２７、カードＩ／Ｆ２８を備え、カードＩ／Ｆ２８を介してメモリカードＭを装着可能に構成されている。
【００２１】
制御部２１は、ＣＰＵ（Central Processing Unit）等から構成されており、ＲＯＭ２６に記憶されているシステムプログラムの他、受注ページの作成処理プログラム等の各種制御プログラムをＲＡＭ２５に展開し、当該プログラムとの協働により処理動作を統括的に制御する。
【００２２】
受注ページの作成処理では、撮影地点、各撮影地点で使用されたデジタルカメラ３の識別番号を設定するための設定画面等、受注ページ作成に必要な操作画面を表示部２３上に表示させ、各操作画面において操作部２２を介して入力された入力情報に基づいて各種設定を行う。そして、通信部２４を介してデジタルカメラ３から撮影画像のサムネイル画像が受信されると、当該サムネイル画像のヘッダ情報を読み出して画像メモリ２７内の画像管理テーブルに書き込み、サムネイル画像のＤＢ化、つまり撮影画像のＤＢ化を行う。また、受信されたサムネイル画像を表示部２３に順次表示させ、操作部２２を介して入力された検索情報を画像管理テーブルの該当する撮影画像の項目に書き込み、設定する。検索情報が設定されると、当該検索情報により撮影画像を検索可能な受注ページを作成する。
【００２３】
また、制御部２１は、撮影前に撮影に使用する各メモリカードＭに対して設定された固有のメディア識別番号をメモリカードＭの所定の記録領域に書き込む。
【００２４】
操作部２２は、キーボードやマウス等を備え、これらの操作に対応する操作信号を生成して制御部２１に出力する。
【００２５】
表示部２３は、ＬＣＤ（Liquid Crystal Display）等の表示手段を備え、操作画面、作成したホームページ画面等の各種表示画面を表示する。
【００２６】
通信部２４は、ネットワークインターフェイスカード、モデム等の通信用インターフェイスを備え、携帯電話等の通信機器を接続して通信ネットワーク上の外部装置と無線通信を行う。例えば、通信部２４は、デジタルカメラ３から撮影画像又はサムネイル画像のデータを受信する。
【００２７】
ＲＡＭ２５は、制御部２１によって実行される各種プログラム及びこれらプログラムに係るデータを一時的に記憶するワークエリアを形成する。
【００２８】
ＲＯＭ２６は、システムプロラグムの他、上記各制御プログラム及び各プログラムで処理されたデータ等を記憶している。
【００２９】
画像メモリ２７は、各デジタルカメラ３により撮影された撮影画像のファイルデータを記憶する大容量メモリであり、これら撮影画像を管理するための画像管理テーブルを備えている。画像管理テーブルには、記憶された撮影画像のファイル番号に対応付けて、撮影画像の撮影に使用されたデジタルカメラ３のカメラ識別番号、機種コード、撮影画像が記録されたメモリカードＭのメディア識別番号、撮影対象となったイベントに固有の識別情報であるイベント識別番号、撮影日時等の、画像を個々に識別するための情報が記憶されている。また、撮影画像のファイル番号に対応付けて、撮影画像のシーン判定により設定されたゼッケン番号等の撮影画像の検索情報が記憶されている。
【００３０】
カードＩ／Ｆ２７は、メモリカードＭを脱着可能に構成されたインターフェイスであり、接続されたメモリカードＭへのデータの入出力を行う。
【００３１】
メモリカードＭは、画像記録用メディアである。本実施形態では、画像記録用メディアとしてメモリカードを適用した例を説明するが、これに限定されることなく、可搬型のものであればその他の記録メディアを適用可能である。
【００３２】
次に、デジタルカメラ３について説明する。
デジタルカメラ３は、メモリカードＭを装着可能であり、被写体を撮影してその撮影画像のデータを生成し、メモリカードＭに記録する撮影装置である。デジタルカメラ３は、マラソンコースのＡ〜Ｄ地点に配置されたカメラマンにより使用される。
【００３３】
図３に、デジタルカメラ３の内部構成を示す。
図３に示すように、デジタルカメラ３は、光学系３１、ＣＣＤ（Charge Coupled Device）３２、信号処理部３３、バッファメモリ３４、制御部３５、画像メモリ３６、ＲＯＭ３７、操作部３８、表示部３９、圧縮・伸張部４０、カードＩ／Ｆ４１、外部Ｉ／Ｆ４２、通信部４３を備えて構成されている。
【００３４】
光学系３１は、被写体の光学像を取り込む光学レンズ群、光学レンズ群を透過した光束の光量を調節する絞り等により構成され、制御部３５によりその駆動を制御される。ＣＣＤ３２は、光学系３１の光路上において結像された被写体の光学像を光電変換し、光電変換された画像信号（アナログ信号）を信号処理部３３に出力する。信号処理部３３は、Ａ／Ｄ変換器を備え、入力された画像信号をデジタル画像データに変換するとともに、シェーディング補正処理や階調、色相、彩度等の変換を行う。すなわち、光学系３１、ＣＣＤ３２、信号処理部３３により撮影手段を実現することができる。信号処理部３３により信号処理された画像データは、バッファメモリ３４に一時記憶された後、制御部３５の制御により、画像メモリ３６又はメモリカードＭに記録される。
【００３５】
制御部３５は、ＣＰＵ、ＲＡＭ等により構成され、本発明に係る画像記録処理プログラム等の制御プログラムをＲＯＭ３７から読み出し、当該制御プログラムに従ってデジタルカメラ３の各部の動作を集中制御する。
【００３６】
制御部３５は、設定メニューを介して操作部３８からデジタルカメラ３に設定された固有のカメラ識別番号が入力されると、ＲＯＭ３７に当該識別番号を記憶させる。また、撮影対象とするイベントに設定された固有のイベント識別番号が入力されると、同様にＲＯＭ３７に記憶させる。
【００３７】
画像記録処理では、操作部３８を介して撮影指示操作が為されると、光学系３１、ＣＣＤ３２に指示情報を出力して撮影を行わせる。そして、撮影により生成された撮影画像のデータがバッファメモリ３４に一時記憶されると、当該撮影画像に対して画像ファイル番号（連番）を生成する。また、カードＩ／Ｆ４１を介してメモリカードＭに記録されているメモリカードＭのメディア識別番号を読み出すとともに、ＲＯＭ３７に記憶されているデジタルカメラ３のカメラ識別番号及び機種コードを読み出す。次いで、撮影画像をメモリカードＭに書き込み、そのデータを記録するとともに、画像ファイル番号、メモリカードＭのメディア識別番号、デジタルカメラ３のカメラ識別番号及び機種コード、撮影日時の情報を撮影画像のヘッダ領域に書き込むことにより、識別番号等の撮影画像を個々に識別するための情報を撮影画像に付加して記録する。すなわち、画像記録処理プログラムと制御部３５との協働により、記録手段を実現することができる。
【００３８】
画像メモリ３６は、画像データ記録用のメモリであり、フラッシュメモリ等の内蔵型メモリである。
【００３９】
ＲＯＭ３７は、各制御プログラム及び各プログラムで処理されたデータ等を記憶している。また、デジタルカメラ３に固有のカメラ識別番号、デジタルカメラ３のカメラ機種を示す機種コード、撮影対象のイベントに固有のイベント識別番号のデータを記憶している。なお、機種コードはデジタルカメラ３の生産時にＲＯＭ３７に書き込まれて設定されているものとし、カメラ識別番号及びイベント識別番号は、カメラマンにより操作部３８を介して操作設定された番号がＲＯＭ３７に書き込まれて記憶されているとする。また、カメラ識別番号として、デジタルカメラ３の生産時に固有に設定される製造番号を適用することとしてもよい。この場合、識別番号（製造番号）は生産時に既にＲＯＭ３７に書き込まれているものとする。
【００４０】
操作部３８は、レリーズボタン、選択ボタン等の各種機能ボタンを備えて構成され、操作されたボタンに対応する操作信号を制御部３５に出力する。
【００４１】
表示部３９は、ＬＣＤ等により構成され、各種操作画面や撮影画像等を表示する。
【００４２】
圧縮・伸張部４０は、画像データに対し、所定の圧縮率で圧縮する圧縮処理、或いは圧縮された画像データを元のサイズに伸張する伸張処理を行う。圧縮・伸張部４０は、制御部３５の指示に従ってメモリカードＭ又は画像メモリ３６に記録された撮影画像に圧縮処理を施し、その縮小画像であるサムネイル画像を生成する縮小画像生成手段である。なお、撮影画像が原画像としてメモリカードＭに記録される場合は、圧縮・伸張部４０では処理を行わず、撮影画像のデータをスルーでカードＩ／Ｆ４１に出力する。
【００４３】
カードＩ／Ｆ４１は、メモリカードＭを脱着可能なインターフェイスであり、接続されたメモリカードＭへのデータの入出力を行う。
【００４４】
外部Ｉ／Ｆ４２は、外部コンピュータに接続するためのインターフェイスであり、デジタルカメラ３と外部コンピュータとの間でデータの入出力を行う。本実施形態では、メモリカードＭに撮影画像を記録し、このメモリカードＭを受注サーバ２に装着することにより、撮影画像を受注サーバ２に移すこととしたが、この外部Ｉ／Ｆ４２を介してデジタルカメラ３を受注サーバ２に接続し、画像メモリ３６又はメモリカードＭに記録された撮影画像のデータを受注サーバ２側に転送する構成としてもよい。
【００４５】
通信部４３は、携帯電話やＰＨＳ等の通信機器を接続可能に構成される通信手段であり、当該通信機器を介して外部装置と無線通信を行う。例えば、通信部４３は、撮影画像のサムネイル画像のデータを画像受信装置である受注サーバ２に送信する。
【００４６】
次に、上記撮影システム１を利用した撮影方法について説明する。
まず、カメラマンの代表者（オペレータでもよい）は各デジタルカメラ３にカメラ識別番号をそれぞれ設定し（例えば、Ａ地点で使用するデジタルカメラ３にはカメラ識別番号“Ｃ０１”、Ｂ地点は“Ｃ０２”等のように設定する。）、操作部３８を介してデジタルカメラ３に入力する。また、撮影対象のイベントに対してイベント識別番号（例えば、マラソン大会は“Ｙ０５”等）を設定した場合はそのイベント識別番号を入力する。デジタルカメラ３では、入力されたカメラ識別番号、イベント識別番号がＲＯＭ３７に記憶される。
【００４７】
次いで、カメラマン代表者は撮影に使用するメモリカードＭを受注サーバ２に装着し、メディア識別番号を設定して（例えば、８つのメモリカードＭを使用する場合は、順に“Ａ００１”〜“Ａ００８”のメディア識別番号を設定する。）、操作部２２を介して受注サーバ２に入力する。なお、本実施形態では、受注サーバ２によりメモリカードＭにメディア識別番号を書き込むこととしたが、他のコンピュータ端末により書き込む構成としてもよい。受注サーバ２では、装着されたメモリカードＭの記録領域に入力されたメディア識別番号が書き込まれるので、カメラマン代表者は、カメラ識別番号を設定したデジタルカメラ３と、メディア識別番号が書き込まれたメモリカードＭとを撮影地点Ａ〜Ｄの各カメラマンに配布する。各カメラマンは、配布されたメモリカードＭとデジタルカメラ３とを持参して指定された撮影地点Ａ〜Ｄの何れかの配置につき、撮影を行う。
【００４８】
以下、撮影が行われた際にデジタルカメラ３により実行される画像記録処理について、図４を参照して説明する。
図４に示す画像記録処理では、操作部３８を介して撮影が指示される毎に撮影処理が実行され、光学系３１、ＣＣＤ３２により撮影画像のデータが生成される（ステップＳ１）。生成されたデータはバッファメモリ３４に一時記憶される。
【００４９】
次いで、カードＩ／Ｆ４１に接続されたメモリカードＭからメディア識別番号が読み出される（ステップＳ２）。また、ＲＯＭ３７からデジタルカメラ３のカメラ識別番号が読み出され（ステップＳ３）、イベント識別番号が記憶されている場合はそのイベント識別番号もともに読み出される（ステップＳ４）。
【００５０】
次いで、バッファメモリ３４から撮影画像のデータが読み出され、原画像としてカードＩ／Ｆ４１を介してメモリカードＭに記録される。また、撮影画像に対してファイル番号が生成され、メモリカードＭに記録された原画像のヘッダ領域に原画像の撮影日時及びファイル番号が書き込まれるとともに、ステップＳ２〜Ｓ４で読み出されたメモリカード、デジタルカメラ、イベントの各識別番号が書き込まれる（ステップＳ５）。以下、ヘッダ領域に書き込まれた情報をヘッダ情報という。
【００５１】
各識別番号がヘッダ領域に書き込まれ、原画像に付加されると、原画像のデータに基づいて圧縮／伸張部４９においてサムネイル画像が生成され、原画像に対応付けてメモリカードＭに記録される（ステップＳ６）。
図５に、メモリカードＭに記録されたデータの概念図を示す。
図５に示すように、メモリカードＭの記録領域の先頭には、撮影前に設定され、受注サーバ２により書き込まれたメモリカードのメディア識別番号（例えば、“Ａ００１”）が記録されている。次に、撮影により記録された撮影画像（原画像）のデータが順に記録され、各撮影画像のヘッダ領域にはその撮影画像に付与された画像ファイル番号（例えば、“ＤＳＣ０００１”）、メディア識別番号（例えば、“Ａ００１”）、撮影に使用されたデジタルカメラ３のカメラ識別番号（例えば、“Ｃ０１”）、機種コード（例えば、“Ｘ２０”）、撮影日時（例えば、“2004.10.02.11:00:05”）、イベント識別番号（例えば、“Ｙ０５”）が記録されている。また、サムネイル画像が生成されている場合は、サムネイル画像のデータが原画像に対応付けて記録されている。
【００５２】
サムネイル画像が記録されると、当該サムネイル画像及びその原画像のヘッダ領域に記録されているメモリカードＭ、デジタルカメラ３、イベントの各識別番号がメモリカードＭから読み出される。そして、そのサムネイル画像のヘッダ領域に各識別番号が書き込まれ、通信部４３を介して受注サーバ２に送信されると（ステップＳ７）、本処理を終了する。
【００５３】
デジタルカメラ３では、以上の処理が撮影が行われる毎に実行され、撮影画像のサムネイル画像が受注サーバ２に順次送信される。
受注サーバ２では、Ａ〜Ｄの各地点におけるデジタルカメラ３から撮影画像のサムネイル画像を受信すると、受注ページの作成が行われる。
【００５４】
以下、図６を参照して、受注サーバ２で実行される受注ページの作成処理について説明する。
図６に示す受注ページの作成処理では、まず通信部２４を介してデジタルカメラ３から受信されたサムネイル画像が画像メモリ２７に記録され、サムネイル画像に付加されたカメラ識別番号、メディア識別番号等のヘッダ情報が画像メモリ２７の画像管理テーブルに書き込まれてサムネイル画像のＤＢ化、つまり撮影画像のＤＢ化が行われる（ステップＳ１０１）。後に、撮影画像が記録されたメモリカードＭから撮影画像が取得された場合は、画像管理テーブルに基づいて撮影画像のヘッダ情報の内容と一致するサムネイル画像に対応付けて撮影画像が画像メモリ２７に記憶される。よって、サムネイル画像のＤＢ化は撮影画像のＤＢ化と同様の意義を有する。次いで、表示部２３上に図７に示すようなカメラ・撮影地点の設定画面ｄ１が表示される（ステップＳ１０２）。
【００５５】
カメラ・撮影地点の設定画面ｄ１では、図７に示すように、撮影地点を設定するためのバーｄ１１及び設定した各撮影地点において使用されたカメラを設定するためのテーブルｄ１２が表示されている。バーｄ１１の長さはマラソンコースにおける距離を示しており、オペレータがバーｄ１１上で各カメラマンが配置された撮影地点をスタートからの距離に応じた位置でクリックすることにより、Ａ地点、Ｂ地点・・・と順に撮影地点を示すマークｄ１３が表示される。
【００５６】
バーｄ１１上で撮影地点が設定されると、その撮影地点の数だけテーブルｄ１２にカメラの設定エリアｄ１４が設けられる。また、テーブルｄ１２の右側にはサムネイル画像のヘッダ領域に記録されているカメラ識別番号に基づいて、撮影に使用された各デジタルカメラ３を示すアイコンｄ１５がその識別番号とともに表示されている。オペレータは、このアイコンｄ１５をそのアイコンｄ１５のデジタルカメラ３が使用された撮影地点の設定エリアｄ１４にドラッグ操作することにより、ドラッグされたアイコンｄ１５が示すデジタルカメラ３がその撮影地点において使用されたデジタルカメラとして設定される。
【００５７】
撮影地点及び各撮影地点で使用されたデジタルカメラ３が設定されると、当該設定されたデジタルカメラ３のカメラ識別番号に基づいて各撮影地点で撮影に使用されたメモリカードＭが判別される（ステップＳ１０３）。具体的には、各撮影地点において設定されたデジタルカメラ３のカメラ識別番号に該当するサムネイル画像が検索され、検索されたサムネイル画像のヘッダ領域からメモリカードＭのメディア識別番号が読み出されて、その識別番号のメモリカードＭが撮影地点で使用されたものとして判別される。
【００５８】
そして、判別されたメモリカードＭが撮影地点毎に並べられた、図８に示すようなメディア選択画面ｄ２が表示部２３上に表示される（ステップＳ１０４）。
メディア選択画面ｄ２では、図８に示すように、各撮影地点Ａ〜Ｄにおいて使用されたと判別されたメモリカードＭを示すアイコンｄ２１がそのメモリカードＭのメディア識別番号とともに表示されている。サムネイル画像を参照する場合、オペレータは参照したいメモリカードＭに対応するアイコンｄ２１をクリックする。
【００５９】
メディア選択画面ｄ２において、メモリカードＭが選択され、そのアイコンｄ２１がクリック操作されると、受注サーバ２では、アイコンｄ２１に対応するメモリカードＭのメディア識別番号が記録されている全てのサムネイル画像が画像メモリ２７から読み出され、図９に示すような画像選択画面ｄ３上で表示される（ステップＳ１０５）。
【００６０】
画像選択画面ｄ３では、図９に示すように、サムネイル画像の表示エリアｄ３１が設けられ、画像メモリ２７から読み出されたサムネイル画像がスクロール表示可能に並列して表示されている。オペレータがこの並列表示されたサムネイル画像のうちの何れかを選択すると、そのサムネイル画像が拡大表示されて画面中央部に表示されるので、オペレータは拡大表示された拡大画像ｄ３２を観察して画質判定及びシーン判定を行うことができる。また、拡大画像ｄ３２の下部には、その拡大画像（サムネイル画像）のヘッダ領域から読み出された、ファイル番号、メモリカードの識別番号、カメラ識別番号、機種コード、イベントの識別番号、撮影日時の情報がヘッダ情報ｄ３２として表示される。さらに、シーン判定により判定された画像中の被写体（マラソン大会の参加者）のゼッケン番号を入力する入力領域ｄ３４が表示されている。
【００６１】
オペレータは、画像選択画面ｄ３において、順次サムネイル画像を選択し、拡大表示されたサムネイル画像を観察して画質が良好であるかどうかを判定するとともに、画像中の被写体が身につけているゼッケンの番号を判定し、そのゼッケン番号を入力領域ｄ３４に入力する。このゼッケン番号は、後にプリント注文の際に検索情報として用いられる。
【００６２】
受注サーバ２では、画像選択画面ｄ３においてサムネイル画像が選択され、ゼッケン番号が入力されると、選択されたサムネイル画像のファイル番号、その他ヘッダ情報が画像メモリ２７の画像管理テーブルに書き込まれるとともに、入力されたゼッケン番号の情報が検索情報として書き込まれ、設定される（ステップＳ１０６）。
【００６３】
そして、全てのサムネイル画像について画質判定及びシーン判定が行われ、検索情報が設定されると、予め準備されているプリント注文の受注ページ用のフォーマット上にサムネイル画像が配置され、受注ページが作成される。作成された受注ページは、インターネット上で公開される。（ステップＳ１０７）。オペレータは、受注ページへのＵＲＬをマラソン大会の参加者、関係者に通知し、この受注ページにてプリント注文可能である旨を伝える。
【００６４】
図１０に、受注ページ例を示す。
図１０に示すように、受注ページｄ４は、撮影画像を検索可能に構成されており、検索項目として参加者のゼッケン番号、撮影時刻、撮影地点の３つが挙げられ、検索情報の入力領域ｄ４１が項目毎に表示されている。顧客（マラソン大会の参加者等）は、自己のコンピュータ端末（以下、顧客端末という）から受注ページｄ４のＵＲＬにアクセスし、受注ページｄ４において画像の検索条件としてゼッケン番号を入力領域ｄ４１に入力する、或いは所望する画像の撮影時刻又は撮影地点を入力する。
【００６５】
受注サーバ２では、入力領域ｄ４１に検索条件が入力されると、受注処理が行われる（ステップＳ１０８）。まず、入力された検索条件に対応するサムネイル画像の検索が画像メモリ２７において行われ、検索されたサムネイル画像が検索結果として受注ページｄ４に表示される。検索結果としては、検索されたサムネイル画像ｄ４２とともに、プリント注文することを示すチェックマークを入力するチェックボックスｄ４３、プリント枚数を入力する入力領域ｄ４４が表示される。ここで、顧客がプリント注文対象のサムネイル画像のチェックボックスｄ４３においてクリック操作を行うと、チェックボックスｄ４３にはチェックマークが自動入力されて表示されるので、顧客はプリント注文するサムネイル画像のチェックボックスｄ４３をクリックし、必要なプリント枚数を入力領域ｄ４４に入力する。
【００６６】
受注サーバ２では、受注ページｄ４のチェックボックスｄ４３においてチェックマークが入力され、プリント枚数が入力されると、プリント注文ＩＤが発行され、ＲＯＭ２６のプリント注文テーブルにおいて、発行されたプリント注文ＩＤに対応付けて、チェックマークが入力されたサムネイル画像のファイル番号、カメラ識別番号、機種コード、メディア識別番号、撮影日時、イベントの識別番号及びプリント注文枚数が書き込まれる。そして、注文者に関する情報（注文者の氏名、住所等）及び注文に関する情報（プリント写真の発送先、料金の支払い方法等）を設定するための設定画面（図示せず）が顧客端末側に送信される。次いで、この設定画面において入力された各情報が顧客端末から受信されると、その受信された注文者及び注文に関する情報が注文テーブルに書き込まれ、受注処理を終了する。
【００６７】
後に、各カメラマンから撮影に使用されたメモリカードＭが回収され、受注サーバ２に装着されると、当該メモリカードＭに記録されている撮影画像のデータがそのヘッダ情報とともに順次読み出されて画像メモリ２７に記憶され、読み出されたヘッダ情報に基づいて画像メモリ２７の画像管理テーブルに基づいて先にＤＢ化されているサムネイル画像とともにＤＢ化される。プリント生産時には、画像管理テーブル、或いは撮影画像のヘッダ情報に基づいてプリント注文された画像が特定される。
【００６８】
以上のように、デジタルカメラ３に固有のカメラ識別番号を設定し、撮影画像を記録する際にそのヘッダ情報として撮影に使用されたデジタルカメラ３のカメラ識別番号の情報を付加することにより、一連の撮影に複数のデジタルカメラ３が使用された場合でも、各撮影画像を容易に判別することができる。通常のデジタルカメラでは、撮影画像のファイル番号は連番で付与されるため、デジタルカメラが複数台ある場合、複数の撮影画像に重複したファイル番号が付される可能性があり、このような場合には撮影画像が混同する問題が発生する。しかしながら、本実施形態のデジタルカメラ３によれば、撮影に使用されたデジタルカメラ３をその識別番号により個々に判別することができるので、撮影画像のファイル番号及びカメラ識別番号の組合せにより各撮影画像が混同することを防止することができる。
【００６９】
さらに、メモリカードＭに固有のメディア識別番号を設定し、撮影画像を記録する際にそのヘッダ情報として撮影画像が記録されたメモリカードＭのメディア識別番号の情報を付加するので、一台のデジタルカメラ３で複数のメモリカードＭが使用された場合でも、各撮影画像を良いに判別することができる。通常のデジタルカメラでは、撮影画像のファイル番号はメモリカードが交換される毎に番号をリセットしながら連番で付与される。よって、一連の撮影でメモリカードを複数使用した場合、複数の撮影画像に重複したファイル番号が付される可能性があり、このような場合にはやはり撮影画像が混同する問題が発生する。しかしながら、本実施形態のデジタルカメラ３によれば、撮影に使用されたメモリカードＭをその識別番号により個々に判別することができるので、撮影画像のファイル番号及びメモリカードＭのメディア識別番号の組合せにより、各撮影画像が混同することを防止することができる。
【００７０】
なお、メモリカードＭのメディア識別番号を記録しない場合でも、撮影時刻の情報がヘッダ情報として記録されるので、カメラ識別番号と撮影時刻の情報を組み合わせて記録することにより、メモリカードＭを複数使用した場合でも、各撮影画像を個々に識別することが可能となる。
【００７１】
また、イベントに固有のイベント識別番号を設定し、撮影画像を記録する際に撮影対象となったイベントの識別番号をヘッダ情報として付加するので、複数イベントに亘って撮影を行う場合でも、各撮影画像を個々に識別することができる。例えば、カメラ識別番号及びメディア識別番号を固定しておく場合、イベント識別番号をイベント毎に設定するのみで撮影画像の識別が可能となり、イベント毎にカメラ識別番号やメディア識別番号を変更設定する手間を省くことができる。また、イベント識別番号によりイベント毎に撮影画像を管理することができ、撮影画像の検索や読み出しが容易となる。
【００７２】
また、デジタルカメラ３のカメラ識別番号、メモリカードＭのメディア識別番号、イベント識別番号等をヘッダ情報として付加されたサムネイル画像を生成して受注サーバ２に送信するので、受注サーバ２では、各サムネイル画像のヘッダ情報に基づいて各サムネイル画像を識別し、受注ページを作成することができる。
【００７３】
なお、上記実施形態では、画像送信時間を短縮するためにサムネイル画像を生成して受注サーバ２に送信することとしたが、撮影画像（原画像）をそのまま受注サーバ２に送信することとしてもよい。或いは、送信せずに、撮影画像が記録された各メモリカードＭを回収して受注サーバ２に順次装着し、撮影画像を読み取らせることとしてもよい。
【図面の簡単な説明】
【００７４】
【図１】本実施の形態における撮影システム１のシステム構成を示す図である。
【図２】受注サーバ２の内部構成を示す図である。
【図３】デジタルカメラ３の内部構成を示す図である。
【図４】デジタルカメラ３により実行される画像記録処理を説明するフローチャートである。
【図５】メモリカードＭにおけるデータ構成例を示す図である。
【図６】受注サーバ２により実行される受注ページ作成処理を説明するフローチャートである。
【図７】カメラ・撮影地点の設定画面例を示す図である。
【図８】メディア選択画面例を示す図である。
【図９】画像選択画面例を示す図である。
【図１０】受注ページ画面を示す図である。
【符号の説明】
【００７５】
１    撮影システム
２    受注サーバ
２１    制御部
２２    操作部
２３    表示部
２４    通信部
２５    ＲＡＭ
２６    ＲＯＭ
２７    画像メモリ
２８    カードＩ／Ｆ
３    デジタルカメラ
３５    制御部
３８    操作部
３９    表示部
４０    圧縮・伸張部
Ｍ    メモリカード
【図１】
2006115062.tif 000003
【図２】
2006115062.tif 000004
【図３】
2006115062.tif 000005
【図４】
2006115062.tif 000006
【図５】
2006115062.tif 000007
【図６】
2006115062.tif 000008
【図７】
2006115062.tif 000009
【図８】
2006115062.tif 000010
【図９】
2006115062.tif 000011
【図１０】
2006115062.tif 000012